(57)【要約】      （修正有）【課題】外観がコンクリートブロック又はダンボール箱形状をなす筐体内に監視カメラを内設し、外部の状態を監視する。【解決手段】監視装置は、コンクリートブロック又はダンボール箱形状をなす筐体1の固定部3に駆動部を設け、この固定部3上に旋回自在に旋回部6を設け、この旋回部6の底部に監視カメラを設け、この監視カメラのレンズを旋回部6の窓9に臨ませ、旋回部6の旋回により広い角度の監視を行う。【選択図】図１
2010245799.tif 000002
【特許請求の範囲】
【請求項１】
コンクリートブロック又はダンボール箱形状をなす筐体(1)と、前記筐体(1)の下部(2)を形成する固定部(3)と、前記筐体(1)の上部(5)を形成する旋回部(6)と、前記固定部(3)内に設けられた駆動部(13)と、前記駆動部(13)に設けられ前記旋回部(6)に接続された出力軸(14)と、前記旋回部(6)の周壁(7)に形成され透明体(8)で覆われた窓(9)と、前記旋回部(6)の底部(10)上に設けられた監視カメラ(12)と、を備え、
前記監視カメラ(12)により、前記筐体(1)外の状態を前記窓(9)を介して監視することを特徴とする監視装置。
【請求項２】
前記監視カメラ(12)は、レンズ(11)が伸縮自在のみの固定型であることを特徴とする請求項１記載の監視装置。
【請求項３】
前記監視カメラ(12)は、前記旋回部(6)の前記底部(10)又は頂部(10a)に設けられた空間安定部(30)内に設けられていることを特徴とする請求項１記載の監視装置。
【発明の詳細な説明】
【技術分野】
【０００１】
本発明は、監視装置に関し、特に、外観がコンクリートブロック又はダンボール箱形状をなす筐体内に監視カメラを内設し、外部の状態を監視するための新規な改良に関する。
【背景技術】
【０００２】
従来、用いられていたこの種の監視装置としては、例えば、後述の特許文献１に示されているように、カメラが露出した状態で、建物の軒先、ビルの壁、柱の上部、電柱の上部
等に取付けられ、固定又は旋回自在に設置されて使用されていた。
【先行技術文献】
【特許文献】
【０００３】
【特許文献１】特開２００５−３４１２９５号公報
【発明の概要】
【発明が解決しようとする課題】
【０００４】
従来の監視装置は、以上のように構成されていたため、次のような課題が存在していた。
すなわち、前述のように、街頭等でカメラを露出又は簡単なケースに設けて設置した状態では、監視されていることが判りやすく犯罪者に警戒される。また、人間の素手又は棒等によって簡単に破壊されることがあり、監視カメラによる街等の監視活動を維持することが困難になっている。
【課題を解決するための手段】
【０００５】
本発明による監視装置は、コンクリートブロック又はダンボール箱形状をなす筐体と、前記筐体の下部を形成する固定部と、前記筐体の上部を形成する旋回部と、前記固定部内に設けられた駆動部と、前記駆動部に設けられ前記旋回部に接続された出力軸と、前記旋回部の周壁に形成され透明体で覆われた窓と、前記旋回部の底部上に設けられた監視カメラと、を備え、前記監視カメラにより、前記筐体外の状態を前記窓を介して監視する構成であり、また、前記監視カメラは、レンズが伸縮自在のみの固定型である構成であり、また、前記監視カメラは、前記旋回部の前記底部又は頂部に設けられた空間安定部内に設けられている構成である。
【発明の効果】
【０００６】
本発明による監視装置は、以上のように構成されているため、次のような効果を得ることができる。
すなわち、コンクリートブロック又はダンボール箱形状をなす筐体と、前記筐体の下部を形成する固定部と、前記筐体の上部を形成する旋回部と、前記固定部内に設けられた駆動部と、前記駆動部に設けられ前記旋回部に接続された出力軸と、前記旋回部の周壁に形成され透明体で覆われた窓と、前記旋回部の底部上に設けられた監視カメラと、を備え、前記監視カメラにより、前記筐体外の状態を前記窓を介して監視することにより、ダンボール箱に似せて、人目に気付かれずに、９０°毎の旋回による３６０°方向の監視を行うことができる。
また、前記監視カメラは、レンズが伸縮自在のみの固定型であることにより、小形でズームアップ等も可能となる。
また、前記監視カメラは、前記旋回部の前記底部又は頂部に設けられた空間安定部内に設けられていることにより、監視カメラを空間上の自在な方向に変えることができ、ターゲット等の捕捉を行うことができる。
【図面の簡単な説明】
【０００７】
【図１】本発明による監視装置を示す外観図である。
【図２】図１の拡大断面図である。
【図３】本発明に用いる空間安定部を示す断面構成図である。
【発明を実施するための形態】
【０００８】
本発明は、外観がコンクリートブロック又はダンボール箱形状をなす筐体内に監視カメラを内設し、外部の状態を監視するようにした監視装置を提供することを目的とする。
【実施例】
【０００９】
以下、図面と共に本発明による監視カメラの好適な実施の形態について説明する。
図１において、符号１で示されるものは、全体形状がドラム缶又はコンクリートブロック形状をなす筐体であり、この筐体１の下部２は固定状の固定部３を形成している。
【００１０】
前記固定部３上には、すべり板部４を介して筐体１の上部５である旋回部６が旋回自在に設けられている。
前記旋回部６の周壁７には、ガラス、プラスチック等の透明体８が設けられ、内部が黒色、又はハーフミラー等で内部のカメラが見えにくい状態の窓９が設けられている。
【００１１】
前記旋回部６の底部１０上には、レンズ１１を有する監視カメラ１２が設けられており、この監視カメラ１２のレンズ１１は前記窓９に対応し、外部の状態を撮像して監視できるように構成されている。
【００１２】
前記固定部３内には、モータ、アクチュエータ、減速機付モータ、有限角モータ、有限角アクチュエータ等のうちの何れかからなる駆動部１３が設けられ、この駆動部１３の出力軸１４は前記すべり板部４を貫通して前記監視カメラ１２が位置する旋回部６の底部１０に接続されている。
【００１３】
前述の構成において、前記筐体１を、街頭、海岸、ショッピングセンター等の監視すべき場所に設置し、リモートコントロール等によって制御部１５を介して駆動部１３を例えば、９０°毎に旋回して３６０°駆動することにより、監視カメラ１２を左右に回動させ、監視動作を行うことができる。
【００１４】
また、前述の構成においては、監視カメラ１２を旋回部６の底部１０に固定した場合について述べたが、他の形態として、図３に示す空間安定部３０を旋回部６の底部１０又は頂部１０ａに取付け、この空間安定部３０内に監視カメラ１２を内設し、監視カメラ１２を多軸方向に移動させて、動きのあるターゲットの撮像を可能とするものである。
【００１５】
前記空間安定部３０の一例を挙げると、図３に示される通りである。
図３において、前記旋回部６の頂部１０ａに設けられた基台部３１には、モータ３２によりヨー方向Ａに回動する保持体３３が設けられ、この保持体３３の両端間には、アウタピッチ用のモータ３４及び第１支軸３５を介してピッチ方向Ｂに沿って回動する第１枠体３６がピッチ方向Ｂに沿って回動自在に設けられている。
【００１６】
前記第１枠体３６には、第２支軸３７及びインナヨー用のトルカ３８Ａを介して第２枠体３８がヨー方向Ａに沿って回動自在に設けられ、この第２枠体３８には第３支軸３９及びインナピッチ用のトルカ４０を介して第３枠体４１がピッチ方向Ｂに沿って回動自在に設けられている。
【００１７】
前記第３枠体４１の内面には、前記監視カメラ１２が設けられ、さらに、用途及び機能を広げるために赤外線カメラ４２及びレーザ測距装置４３が設けられているが、基本的には監視カメラのみでよい。
従って、前述のモータ３４、各トルカ３８Ａ,４０を駆動すると、監視カメラ１２自体のロール動作も加えると、５軸動作を行うことができ、外部のターゲット等の状態を安定して監視することができる。
【産業上の利用可能性】
【００１８】
本発明による監視装置は、野外だけでなく、広大な屋内における監視用に適用することもできる。
【符号の説明】
【００１９】
１    筐体
２    下部
３    固定部
４    すべり板部
５    上部
６    旋回部
７    周壁
８    透明体
９    窓
１０    底部
１０ａ    頂部
１１    レンズ
１２    監視カメラ
１３    駆動部
１４    出力軸
１５    制御部
３０    空間安定部
【図１】
2010245799.tif 000003
【図２】
2010245799.tif 000004
【図３】
2010245799.tif 000005